(57)【要約】【課題】動力を用いないものでありながら、手で触れることなしに、ゴミを捨てるたびに圧縮機能が自動的に発揮される圧縮機能付きゴミ箱を提供する。【解決手段】上記課題は、本体部２０内に、前壁２１ｆ内面におけるゴミ投入口２３よりも下側の部分に向かって往復移動するように、圧縮体３０を設け、この圧縮体３０を往動するように付勢する付勢手段２３，６０を設け、台座部１０にペダル体４０を設け、このペダル体４０に加わる踏み下げ力を圧縮体３０に対して機械的に伝達し、圧縮体３０を付勢手段による付勢力に抗して復動させる復動機構５０，６０を設けた、ゴミ圧縮機能付きゴミ箱により解決される。【選択図】図１
2010173840.tif 000002
【特許請求の範囲】
【請求項１】
周壁部と、底壁部と、上部に設けられたゴミ投入口とを有する、本体部と、
前記本体部内に、前記周壁部内面における前記ゴミ投入口よりも下側の部分に向かって往復移動するように設けられた、圧縮体と、
前記圧縮体を、前記周壁部内面における前記ゴミ投入口よりも下側の部分に向かって往動するように付勢する、付勢手段と、
踏み下げ可能なように取り付けられたペダル体と、
このペダル体に加わる踏み下げ力を前記圧縮体に対して機械的に伝達し、前記圧縮体を前記付勢手段による付勢力に抗して復動させる復動機構と、
を備えたことを特徴とするゴミ圧縮機能付きゴミ箱。
【請求項２】
前記投入口に、重力により閉状態となるように付勢され且つ重力に抗して持ち上げることにより開状態となる蓋体が設けられるとともに、
この蓋体に加わる閉状態への付勢重力を、前記圧縮体の往動力となるように前記圧縮体に対して機械的に伝達する伝達機構が設けられており、
これら蓋体及び伝達機構により前記付勢手段が構成されている、
請求項１記載の圧縮機能付きゴミ箱。
【請求項３】
このように蓋体をペダル体で開閉する機構を組み合わせることにより、ゴミ投入時にはペダル体を踏み下げることにより蓋体を開けるのと同時に圧縮体を復動させてゴミ投入空間を形成することができ、その後にペダル体を解放することにより蓋体が閉まると同時にその安全な状態で圧縮体を往動させてゴミを圧縮することができるため、好ましい。
【請求項４】
前記付勢手段としてバネが設けられている、請求項３記載のゴミ圧縮機能付きゴミ箱。
【請求項５】
前記投入口は前記本体部の上面に開口するものであり、
前記圧縮体は、前記本体部内において前後方向に沿って平行移動するように設けられており、
前記ペダル体は、本体部の前側から前記底壁部の下側を通り前記本体部の後側まで延在するとともに、その前後方向中間において左右方向を中心として回動するように取り付けられており、
前記本体部の後側において上下方向に延在するとともに、下端部が左右方向を中心として回動するように前記ペダル体における前記本体部の後側に突出する部分に対して連結され、前記上下方向に移動するように設けられた第１リンク部材と、
前記投入口を介して前記本体部の内外に至るとともに、後端部が左右方向を中心として回動するように前記第１リンク部材の上端部に対して連結され、前端部が左右方向を中心として回動するように前記圧縮体の後面における前記投入口よりも下側の部分に対して連結された第２リンク部材と、を有しており、
前記ペダル体における前記本体部の前側に突出する部分が足踏み部として構成されており、
前記蓋体は前記投入口上を覆うとともに、その後端部が左右方向を中心として回動するように前記本体部の後面上端部に対して取り付けられており、
前記第１リンク部材の上端部が、前記第１リンク部材の上昇過程で、前記蓋体の底面における前記本体部に対する取り付け部位よりも前側の部位に当接するように構成されている、
請求項３又は４記載の圧縮機能付きゴミ箱。
【発明の詳細な説明】
【技術分野】
【０００１】
本発明は、動力を用いずに、且つ手で触れることなしにゴミを圧縮できる、圧縮機能付きゴミ箱に関するものである。
【背景技術】
【０００２】
ゴミ箱内に嵩張り易いゴミを多数捨てると、ゴミ箱が直ぐに満杯になることは良く知られている。例えば使用済みのペーパータオルは、ゴミ箱内で嵩張り易いため、公共的に利用されるトイレ等に設置すると、ゴミ箱が直ぐに満杯となってしまうことがある。この場合、一般には手や足をゴミ箱内に押し入れて、ゴミ箱内のゴミを圧縮することが行われているが、不衛生であるため、ゴミ箱内のゴミを圧縮する機能を装備したゴミ箱が種々提案されている。
従来の圧縮機能付きゴミ箱は、動力を用いて圧縮を行う自動式（例えば特許文献１、２参照）、動力を用いずに手でレバー等を操作して圧縮する手押し式（例えば特許文献３、４参照）、動力を用いずに足でペダルを押し下げて圧縮する足踏み式（例えば特許文献５参照）に大別することができる。自動式はコストが嵩むだけでなく、電源等のエネルギーを確保しなければならないため、非動力（人力）式のものが望ましいことはいうまでもない。また、手押し式はレバーに手を触れる必要があるため、これも不衛生である。よって、足踏み式のものが好ましい。
しかし、従来の足踏み式圧縮機能付きゴミ箱は、足踏みの力をゴミ圧縮に利用するものであるため、ペダルを踏み付けなければ圧縮機能が働かない。よって、ゴミを捨てようとした人がゴミの満杯に気付いてゴミを圧縮する、というように必要時に圧縮する形態には適しているが、圧縮機能の存在に気付かない又はペダルを踏む作業を怠るおそれがあるため、ゴミを常に圧縮した状態に保つのには不向きである。また、このような必要時に圧縮する形態では、ゴミ箱が外観上満杯になっているだけでは圧縮の余地の有無を判断できず、ゴミ箱が真に満杯となっている状態を判別し難いという問題点もある。
【先行技術文献】
【特許文献】
【０００３】
【特許文献１】特開平７−２２７３６７号公報
【特許文献２】特開平８−１１９４０２号公報
【特許文献３】特開平７−３２３３９７号公報
【特許文献４】特開２００４−２２４５６４号公報
【特許文献５】特開２００２−３７４０２号公報
【発明の概要】
【発明が解決しようとする課題】
【０００４】
そこで、本発明の主たる課題は、動力を用いないものでありながら、手で触れることなしに、ゴミを捨てるたびに圧縮機能が自動的に発揮される、圧縮機能付きゴミ箱を提供することにある。
【課題を解決するための手段】
【０００５】
上記課題を解決した本発明は次記のとおりである。
＜請求項１記載の発明＞
周壁部と、底壁部と、上部に設けられたゴミ投入口とを有する、本体部と、
前記本体部内に、前記周壁部内面における前記ゴミ投入口よりも下側の部分に向かって往復移動するように設けられた、圧縮体と、
前記圧縮体を、前記周壁部内面における前記ゴミ投入口よりも下側の部分に向かって往動するように付勢する、付勢手段と、
踏み下げ可能なように取り付けられたペダル体と、
このペダル体に加わる踏み下げ力を前記圧縮体に対して機械的に伝達し、前記圧縮体を前記付勢手段による付勢力に抗して復動させる復動機構と、
を備えたことを特徴とするゴミ圧縮機能付きゴミ箱。
【０００６】
（作用効果）
このゴミ箱は、本体部内のうち圧縮体とその往動方向に位置する周壁部との間が、ゴミ収容空間となるものであり、このゴミ収容空間は、ペダル体の踏み下げによる圧縮体の復動により容積が増大し、またペダル体の解放による圧縮体の往動により容積が減少する。したがって、ゴミを捨てる際には、ペダル体を踏み下げることにより、圧縮体をその往動方向に位置する周壁部から離間させ、ゴミ収容空間を拡大させてゴミ投入空間を形成することができる。そして、ゴミ投入後にペダル体を解放すると、付勢手段によって圧縮体が周壁部内面におけるゴミ投入口よりも下側の部分に向かって往動して、ゴミ収容空間が減少し、ゴミ収容空間内のゴミ体積がある程度になっている場合には、圧縮体と周壁部内面との間にゴミが挟まれて圧縮される。
よって、動力を要せず、且つ手で触れることなしに、ゴミを捨てるたびに圧縮機能が自動的に発揮されるようになる。しかも、本方式によれば、ゴミ投入時にペダル体を踏み下げてもゴミ投入空間が形成されない場合に、ゴミ箱が満杯となるため、ゴミ箱が真に満杯であることが一目で判るという利点もある。
【０００７】
＜請求項２記載の発明＞
前記投入口に、重力により閉状態となるように付勢され且つ重力に抗して持ち上げることにより開状態となる蓋体が設けられるとともに、
この蓋体に加わる閉状態への付勢重力を、前記圧縮体の往動力となるように前記圧縮体に対して機械的に伝達する伝達機構が設けられており、
これら蓋体及び伝達機構により前記付勢手段が構成されている、
請求項１記載の圧縮機能付きゴミ箱。
【０００８】
（作用効果）
このように、ゴミ箱に良く設けられる蓋体を利用して圧縮体の付勢手段を構成することにより、付勢力源を省略又は簡素化でき、よりローコスト且つ簡素な構造で付勢手段を設けることができる。
【０００９】
＜請求項３記載の発明＞
ペダル体に加わる踏み下げ力を前記蓋体に対して機械的に伝達し、前記蓋体を重力に抗して持ち上げて開状態とする開閉機構が設けられている、請求項２記載の圧縮機能付きゴミ箱。
【００１０】
（作用効果）
このように蓋体をペダル体で開閉する機構を組み合わせることにより、ゴミ投入時にはペダル体を踏み下げることにより蓋体を開けるのと同時に圧縮体を復動させてゴミ投入空間を形成することができ、その後にペダル体を解放することにより蓋体が閉まると同時にその安全な状態で圧縮体を往動させてゴミを圧縮することができるため、好ましい。
【００１１】
＜請求項４記載の発明＞
前記付勢手段としてバネが設けられている、請求項３記載のゴミ圧縮機能付きゴミ箱。
【００１２】
（作用効果）
付勢手段として、前述のように蓋体の重量を利用するのは一つの好ましい形態であるが、それだけでは圧縮力が不足する場合もあるため、バネを併用するのも好ましい形態である。本発明では、バネのみで付勢手段を構成することもできなくはないが、その場合はより強力なバネが必要になる。
【００１３】
＜請求項５記載の発明＞
前記投入口は前記本体部の上面に開口するものであり、
前記圧縮体は、前記本体部内において前後方向に沿って平行移動するように設けられており、
前記ペダル体は、本体部の前側から前記底壁部の下側を通り前記本体部の後側まで延在するとともに、その前後方向中間において左右方向を中心として回動するように取り付けられており、
前記本体部の後側において上下方向に延在するとともに、下端部が左右方向を中心として回動するように前記ペダル体における前記本体部の後側に突出する部分に対して連結され、前記上下方向に移動するように設けられた第１リンク部材と、
前記投入口を介して前記本体部の内外に至るとともに、後端部が左右方向を中心として回動するように前記第１リンク部材の上端部に対して連結され、前端部が左右方向を中心として回動するように前記圧縮体の後面における前記投入口よりも下側の部分に対して連結された第２リンク部材と、を有しており、
前記ペダル体における前記本体部の前側に突出する部分が足踏み部として構成されており、
前記蓋体は前記投入口上を覆うとともに、その後端部が左右方向を中心として回動するように前記本体部の後面上端部に対して取り付けられており、
前記第１リンク部材の上端部が、前記第１リンク部材の上昇過程で、前記蓋体の底面における前記本体部に対する取り付け部位よりも前側の部位に当接するように構成されている、
請求項３又は４記載の圧縮機能付きゴミ箱。
【００１４】
（作用効果）
このように具体的構造を採用することにより、従来汎用されているペダル体による蓋体開閉機構と、ゴミ圧縮機構とを簡素な形態で組み合わせることができ、既存のゴミ箱への応用も容易となる。
【発明の効果】
【００１５】
以上のとおり、本発明によれば、動力を用いないものでありながら、手で触れることなしに、ゴミを捨てるたびに圧縮機能が自動的に発揮されるようになる、等の利点がもたらされる。
【図面の簡単な説明】
【００１６】
【図１】圧縮状態（閉状態）の圧縮機能付きゴミ箱の縦断面図である。
【図２】図１の２−２線断面図である。
【図３】圧縮機能付きゴミ箱の正面図である。
【図４】圧縮機能付きゴミ箱の背面図である。
【図５】図１の５−５線断面図である。
【図６】図１の６−６線断面図である。
【図７】非圧縮状態（開状態）の圧縮機能付きゴミ箱の縦断面図である。
【図８】他の形態を示す図１の６−６線断面図である。
【発明を実施するための形態】
【００１７】
図１〜図７は、本発明に係るゴミ箱の一例を示している。このゴミ箱１は、中空の台座部１０と、その上に取り付けられた中空の本体部２０とを有している。
本体部２０は、周壁部２１と、底壁部２２と、上部に設けられたゴミ投入口２３とを有している。図示例では本体部２０の上面全体が投入口２３として開口しているが、一部であっても良く、また周壁部２１の上部にゴミ投入口２３が形成されていても良い。本体部２０の形状は適宜定めることができ、横断面が三角形、四角形、他の多角形、円形又は楕円形の筒状体等、公知の形状とすることができるが、図示例の直方体形状ように周壁部２１の内面におけるゴミ押し付け部位が平面である形状が好ましい。
【００１８】
投入口２３には、重力により閉状態となるように付勢され且つ重力に抗して持ち上げることにより開状態となる蓋体２４が設けられている。より詳細には、蓋体２４は投入口２３上を覆うとともに、その後端部２５が本体部２０後側に突出しており、この突出部分２５が、本体部２０後面上部に左右方向（幅方向）に間隔を空けて設けられた軸支部２６間に位置するとともに、これら軸支部２６及び突出部分２５を貫通する回動軸２７により蓋体２４が本体部２０に回動するように連結されている。蓋体２４はこの回動軸２７を中心として本体部２０に対して回動し、開閉するようになっている。
【００１９】
一方、本体部２０内には、上下方向及び左右方向に沿う平板状の圧縮体３０が、周壁部２１のうち前壁部２１ｆ内面におけるゴミ投入口２３よりも下側の部分に向かって、前後方向に沿って平行に往復移動するように設けられている。
【００２０】
圧縮体３０の形状は特に限定されず、円盤状のものや、棒材を格子状等に一体化したものや、網状のもの他、ゴミ当接面に突出する部分が多数形成されたもの等であっても良い。圧縮体３０の大きさは適宜定めることができるが、ゴミ当接面積は可能な限り大きいのが望ましい。特にペーパータオルを想定した場合、一般的な廃棄時（丸めた状態）の寸法が５０ｍｍ程度であるため、圧縮体３０の上端と蓋体２４との隙間、圧縮体３０の下端と底壁部２２との隙間、並びに圧縮体３０の両側縁と側壁部２１ｓとの隙間は各５０ｍｍ以内であるのが好ましい。本体部２０内にゴミ袋を設置する場合には、圧縮体３０の大きさがこれよりもある程度まで小さくても、つまり周囲の隙間がある程度まで大きくても、ゴミ全体を良好に圧縮することができる。
【００２１】
圧縮体３０を所定経路に沿って所定の姿勢で円滑に移動させるために、図示例では、圧縮体３０の両側面における上側部分及び下側部分に突起３１（左右方向を回転中心とするローラーでも良い）が設けられるとともに、この突起３１を通過させる溝２１ｄが、本体部の周壁部２１のうち左右両側壁２１ｓの内面にそれぞれ形成されている。これにより、圧縮体３０は上下方向に沿う姿勢が維持される。このような突起３１及び溝２１ｄの組み合わせに代えて、ローラー及びレールの組み合わせ等、圧縮体３０の姿勢が安定するような公知の支持構造を採用することができる。
【００２２】
周壁部２１内面の上縁部には、ゴミ袋ＤＢを着脱自在に固定するための公知の手段、たとえばフック等を設けるのが望ましく、その固定位置は圧縮体３０の上縁より上側であるのが好ましい。
【００２３】
他方、台座部１０にはペダル体４０が内蔵されている。ペダル体４０は図示例では断面コ字状をなしており、本体部２０の幅よりも狭い所定の幅で前後方向に沿って延在している。台座部１０の前面及び後面には開口部１１，１２がそれぞれ形成されており、ペダル体４０の前端部は前面の開口部１１を介して前方に突出しており、この台座部１０より突出する部分が足踏み部４１として構成されている。また、台座部１０内には、ペダル体４０の前後方向中間位置における両側に軸支部１３がそれぞれ設けられており、これら軸支部１３及びペダル体４０はそれらを左右方向に貫通する回動軸１４により回動可能なように連結されており、これによってペダル体４０が台座１０に対してシーソーのように回動し、足踏み部４１側が踏み下げ可能となっている。
【００２４】
本体部２０の後側には、第１リンク部材５０が上下方向に移動可能なように設けられている。第１リンク部材５０は、図示例では断面コ字状をなし、本体部２０の幅よりも狭い所定の幅で上下方向に延在している。第１リンク部材５０は、下方においては台座部１０後面の開口部１２を介して台座部１０内に達するとともに、下端部はペダル体４０の後端部まで延在しており、これら第１リンク部材５０の下端部及びペダル体４０の後端部はそれらを左右方向に貫通する回動軸５１により回動するように連結されている。また、第１リンク部材５０の上端が、蓋体２４の底面のうち蓋体２４の回動軸２７よりも前側の部位に当接するように構成されている。これにより、ペダル体４０の足踏み部４１を踏み下ろすと、ペダル体４０の後端部が上昇し、これに伴い第１リンク部材５０が上昇して蓋体２４を突き上げ、蓋体２４を開状態にすることができる。この状態でペダル体４０の足踏み部４１から足を離して解放すれば、蓋体２４及び第１リンク部材５０の重みにより第１リンク部材が下降し、それに伴いペダル体４０の後端部が下降し、前端部が上昇してペダル体４０が自然に元の位置に戻される。
【００２５】
特徴的には、第１リンク部材５０における本体部２０よりも上側に位置する上端部から、投入口２３を介して圧縮体３０の後面まで、第２リンク部材６０が延在している。図示例では、第２リンク部材６０は丸棒材からなり、左右一対設けられている。そして、第２リンク部材６０の後端部は左右方向中央に向かって屈曲しており、その先端が第１リンク部材５０の両側面にそれぞれ設けられた挿通孔５２にそれぞれ挿通されることにより、第１リンク部材５０に対して左右方向を中心として回動するように連結されている。また、第２リンク部材６０の前端部も左右方向中央に向かって屈曲しており、圧縮体３０の後面における上下方向中央の両側部にそれぞれ設けられた左右方向に沿う筒状の軸支部３２にそれぞれ挿通されることにより、圧縮体３０に対して左右方向を中心として回動するように連結されている。そして、これら前端部と後端部との中間部分は、周壁部２１内面に沿うように屈曲延在している。
【００２６】
このように第１リンク部材５０と圧縮体３０とが第２リンク部材６０を介して連結されていると、蓋体２４を閉状態にするべくペダル体４０を解放した状態で、蓋体２４及び第１リンク部材５０の重みにより蓋体２４が閉じられるとともに第１リンク部材５０が押し下げられると、その付勢力がペダル体４０だけでなく、第２リンク部材６０を介して圧縮体３０にも機械的に伝達され、圧縮体３０が往動方向に付勢されるようになる。つまり、これら蓋体２４及び伝達機構により、圧縮体３０の付勢手段が構成される。
【００２７】
この付勢手段に代えて、又はこれとともに、図８に示すようにバネ７０を用いて圧縮体３０を往動方向に付勢することもできる。図示例では、本体部２０の周壁部２１のうち前壁２１ｆと圧縮体３０とを、左右両側部においてコイルバネ７０で連結し、圧縮体３０を前壁２１ｆ側に引張るように構成しているが、これに限られるものではなく、第１リンク部材５０を下方に付勢するように各種のバネを設けたり、ペダル体４０における回動軸１４よりも後側を下降させる若しくは前側を上昇させるようにバネを設けたり、これらを組み合わせたりすることもできる。バネ７０としては、使用形態に応じて、圧縮コイルバネ、引張コイルバネ、ねじりコイルバネ、板バネ、ゼンマイバネ、竹の子バネ等のから適宜選択して用いることができる。
【００２８】
また、上述のように、ペダル体４０、第１リンク部材５０及び第２リンク部材６０がリンクしていると、ペダル体４０を踏み下げたとき、その踏み下げ力は第１リンク部材５０に上昇力として伝達し、この第１リンク部材５０の上昇力は第２リンク部材６０を後斜め上方に引き上げる力として伝達し、この第２リンク部材６０の後斜め上方への移動力の後方分力が圧縮体３０に復動力として伝達する。よって、図示例では、これらペダル体４０、第１リンク部材５０及び第２リンク部材６０により、圧縮体３０を往動方向への付勢力に抗して復動させる復動機構が構成されている。
【００２９】
以上のように構成されたゴミ箱１では、本体部２０内のうち圧縮体３０とその往動方向に位置する前壁２１ｆとの間が、ゴミ収容空間となるものであり、このゴミ収容空間は、ペダル体４０の踏み下げ及び解放により容積が増減する。より詳細に説明すると、ゴミを捨てる際には、図７に示すようにペダル体４０を踏み下げる。これにより、第１リンク部材５０が上昇して、蓋体２４が突き上げられて開くとともに、第２リンク部材６０の後端部が上昇し、その上昇力の後方分力により圧縮体３０が復動され、圧縮体３０はその往動方向に位置する前壁２１ｆから離間する。その結果、ゴミ収容空間が拡大し、ゴミ投入のための余剰空間が形成される。そして、ゴミＤの投入後にペダル体を解放すると、蓋体２４及び第１リンク部材５０に加わる重力により第１リンク部材５０が下降して蓋体２４が閉じるとともに、その付勢重力により第２リンク部材６０の後端部が下降し、その下降力の前方分力により圧縮体３０が前壁２１ｆに向かって往動する。その結果、図１に示すように、ゴミ収容空間が減少し、ゴミ収容空間内のゴミＤの体積がある程度になっている場合には、圧縮体３０と前壁２１ｆ内面との間にゴミが挟まれて圧縮される。よって、動力を要せず、且つ手で触れることなしに、ゴミを捨てるたびに圧縮機能が自動的に発揮されるようになる。しかも、本方式によれば、ゴミ投入時にペダル体４０を踏み下げてもゴミ投入空間が形成されないときに、一目でゴミ箱が満杯であることが判る。
【００３０】
なお、圧縮体３０を、周壁部２１内面におけるゴミ投入口２３よりも下側の部分に向かって往復移動する形態には、上記例のように圧縮体３０を平行移動させる形態の他、圧縮体３０の下端部を左右方向を中心として回動するように本体部２０に対して軸支する等により、圧縮体３０を周壁部２１内面に向かって回動させる形態等、他の移動経路による往復移動形態も含まれる。
【００３１】
また、付勢手段及び復動機構における機械的な力の伝達機構は、上記例に限られるものではなく、ギア、クランク、カム、シャフト（軸）等を用いた公知の回転機構、往復動機構、回転・往復動変換機構等により構成することができる。
【産業上の利用可能性】
【００３２】
本発明は、ペーパータオル等の使い捨て紙製品のゴミ箱として好適なものであるが、もちろんゴミ箱一般に適用できるものである。
【符号の説明】
【００３３】
１…圧縮機能付きゴミ箱、１０…台座、２０…本体部、２１…周壁部、２２…底壁部、２３…ゴミ投入口、２４…蓋体、３０…圧縮体、４０…ペダル体、４１…足踏み部、５０…第１リンク部材、６０…第２リンク部材、７０…バネ。
【図１】
2010173840.tif 000003
【図２】
2010173840.tif 000004
【図３】
2010173840.tif 000005
【図４】
2010173840.tif 000006
【図５】
2010173840.tif 000007
【図６】
2010173840.tif 000008
【図７】
2010173840.tif 000009
【図８】
2010173840.tif 000010